(57)【要約】【課題】  農業ハウスの合成樹脂フィルム被覆材の固定係止が簡便能率的になしえ、且融雪並びに低温及び高温障害を防止できる防止具の提供。【解決手段】  適宜の合成樹脂フィルム素材で所要の幅と厚さで且施設の頂部を所要の長さで誘引配位される長さの幹部と、所要の幅と厚さで且幹部の長さ方向に所定間隔で直交する方向に該幹部と一体的に接合され、而も展張される合成樹脂フィルム被覆材の両側端より所要の長さの結縛部が延出される長さの枝部とで固定係止基材が形成され、且この幹部上面には通水如何で扁平状に折合し若しくは断面円形状に変形自在な柔軟性を保持し、而もその長さ方向の両側に適宜孔径で適宜数の散水孔が穿孔された散水ホース材が一体的に接合若しくは装置された構成。【選択図】図４
2009207474.tif 000002
【特許請求の範囲】
【請求項１】
適宜の合成樹脂フィルム素材からなり、所要の幅と厚さで且施設の長さ方向に適宜長さで誘引配位できる長さの幹部と、該幹部の長さ方向に所定間隔で且幹部と直交する方向に一体的に接合され而も展張される合成樹脂フィルム被覆材の両側端より所要の長さの結縛部が延出される長さの枝部とにより固定係止基材が形成され、且この幹部の上面には未通水時には扁平状に折合しえ通水時には断面円形状に変形自在な柔軟性素材からなり、その長さ方向の両側には適宜の孔径と適宜数の散水孔が穿孔された散水ホース材が一体的に接合若しくは装着されてなる構成からなる農業ハウスの融雪並びに低温及び高温障害防止具。
【請求項２】
幹部の上面に一体的に接合される散水ホース材が、幹部の上面中央位置長さ方向に散水ホース材の下側面中央位置とが、高周波若しくはインパルスシーラーで加熱融着され、若しくは接着剤或いは粘着材による接合層により接合されてなる、請求項１記載の農業ハウスの融雪並びに低温及び高温障害防止具。
【請求項３】
幹部の上面に一体的に装着される散水ホース材が、適宜の合成樹脂フィルム素材を細幅に切断のうえ、その内部に散水ホース材が挿通しえる内径の挿通リングを所定の間隔を以って、幹部上面に融着固定させたうえ該挿通リング内に散水ホース材を挿通させて装着される、請求項１記載の農業ハウスの融雪並びに低温及び高温障害防止具。
【発明の詳細な説明】
【技術分野】
【０００１】  本発明は農業ハウスの積雪による施設崩壊の防止や降霜に伴う施設内の低温障害の発生防止、或いは夏期における強度の陽光照射に伴う施設内の高温障害も防止することの可能な防止具に関するものである。
【背景技術】
【０００２】  農作物は本来自然条件において育成しえるものであるが、自然条件のもとでは気温の著しい変動を初め、降霜や風雨により或いは病害虫の飛来と食害等により安定した収穫や品質保持等が再三に亘って阻害される。
これがため現在に至っては葉菜類や果菜類或いは花卉類等の栽培においては、自然条件から隔離して保温や防霜、風雨や病害虫からの保護を図り農作物の促成化や高品質化を図るための施設栽培化が普及し、これにより我が国の農業は著しい進展を遂げてきている。【０００３】  この施設栽培は、ガラス温室に代表される如くスチールやアルミ素材からなる骨材とガラス板材とにより強固且恒久的施設として使用するものも一部の農作物には採用されているが、葉菜類や果菜類或いは花卉類等においては軽量且安価な施設が望まれることから、通常においては所要の農地面に軽量鉄パイプ材からなる支柱を略３乃至４間程度の間隔を以って立設し、且これら支柱の上端より対向側支柱の上端に亘って半弧形状のアーチパイプ材を跨渡連結固定させえたうえ、その外面にポリエチレン等ポリオレフィン系合成樹脂素材やポリ塩化ビニル系合成樹脂素材若しくはエチレン酢酸ビニル共重合樹脂素材からなる広幅薄肉の合成樹脂フィルム被覆材を展張させてなる農業ハウスが主に採用されている。【０００４】  更に近年に至っては果実類においても高品質化が要請されつつあることから、ぶどうはもとより桜桃や柑橘等の果樹栽培にも積極的に施設栽培が採用され、高品質化高収穫化を図る傾向にあることから、その施設規模も格段に大型化しつつある。
そして当然の事ながら、これら施設は農作物全体が自然条件から隔離されるよう広面積に亘って立設されるものであるから、基本的な支柱とアーチパイプ材とで構成される単位棟の広さ分を複数に連接させた連棟状施設として使用される。【０００５】  ところで農業用ハウスは国内全土に亘って実用使用されてなるものであって、特に寒冷地における場合にはその保温性による農作物の促成効果が大きく発揮されるものの、反面冬期における降雪に際しては施設を形成する軽量鉄パイプ材からなる支柱やアーチパイプ材が脆弱であるから、僅かな積雪荷重によっても施設が崩壊し、或いは合成樹脂フィルム被覆材も薄肉であるから破損や裂損する事態が発生する。
更に農業用ハウス内は外気と遮断された状態にあり、一旦降霜に伴う合成樹脂フィルム被覆材外面に着霜がなされると施設内温度が急激に低下し育成農作物が低温障害を被り、従って降霜地域における農業ハウスには加温ヒーターや加温ボイラー等の配備も余儀なくされる。【０００６】  加えて温暖な地域における農業ハウスは、秋期乃至春期に亘る比較的低温期においても保温性による農作物の促成効果は十分に発揮されるものの、春期から秋期に亘る比較的高温期で且光線照射の強い時期においては施設内の温度が著しく上昇し、とりわけ果樹用施設の如く施設が高く且大型のものでは、上方部に高温空気が滞留し而も外部からの強度の光線照射とも相俟って極めて高温度となり果樹の上部枝葉の枯死や花芽の発生も阻害される等高温障害が発生する。
これがためこれら地域での農業ハウスには自動換気窓や換気扇を装備させ或いはクーラー等の冷却装置の配備も要請される。
そして当然に軽量鉄パイプ材からなる支柱を立設し、且対向する支柱相互間にアーチパイプ材を跨渡連絡させたうえ、その外面全体に合成樹脂フィルム被覆材を展張させる構成は、農作物の育成のための農業ハウスばかりか、簡易鶏舎や簡易豚舎或いは農作業小屋等への利用もなしえるが、当然に前記低温障害や高温障害の発生に伴う対処手段が要請される。【０００７】  而して発明者は農業ハウスの立設構築に際しては、所望の農地に軽量鉄パイプ材からなる支柱を所要間隔を以って立設し、且対向する支柱相互の上端をアーチパイプ材を跨渡連結したうえ、その外面に合成樹脂フィルム被覆材を展張させたうえ、該合成樹脂フィルム被覆材が外部風圧や内部孕み圧により飛散し若しくは弛緩し且フラッタリングにより合成樹脂フィルム被覆材が破損されぬよう、合成樹脂フィルム被覆材をアーチパイプ材や支柱と密着展張させるため扁平状で且柔軟な固定紐を、農業ハウスの一方側から頂部を経由させて他方側に投げ渡し適宜部位に結縛のうえ更に一方側に投げ返し、同様に適宜部位に結縛し、再び他方側への投げ渡し、これを交互に繰り返して長さ方向全体を固定係止させるものであるから膨大な労力と時間を要し、特に施設が大型になる程その作業は一段と至難となる。【０００８】  そこで発明者はかかる問題に鑑み、展頂される合成樹脂フィルム被覆材の上面に施設の頂部の長さ方向に、所要の幅と厚さの合成樹脂フィルム素材からなる幹部と、該幹部の長さ方向に所定の間隔を以って且直交する方向に、その長さが展張される合成樹脂フィルム被覆材の両面端より適宜の長さ分の結縛部が延出されるよう枝部が一体的に接合形成された固定係止材を開発し、この固定係止材の幹部を合成樹脂フィルム被覆材が展張された施設の頂部に沿って一側から他側に誘引配位させることにより、所定の間隔を以って合成樹脂フィルム被覆材の両側端に垂下延出される結縛部を、施設の適宜部位に地上作業により結縛させるのみで、極めて簡便能率的に固定係止をなしえることを究明し、既に先願をなしえている。【０００９】  ところで地下水は全国的においても年間を通して略１０乃至１５℃と安定した水温を保持するものであるから、降雪に際して施設の合成樹脂フィルム被覆材表面にその頂部より地下水を散水させることにより、容易に着雪を融雪しえるばかりか降霜に際しても着霜を即時に融霜し、低温障害の防止と且施設内の高温化にも地下水による降温と気化熱の剥奪とにより高温障害が防止しえることに想到し本発明に至った。
【発明の開示】
【発明が解決しようとする課題】
【００１０】  本発明は農業ハウスに展張される合成樹脂フィルム被覆材の固定係止が簡便能率的になしえ、且施設の頂部に散水ホースを簡便安定して配位させ、農業用ハウスの融雪並びに低温障害及び高温障害を防止しえる防止具を提供することにある。
【課題を解決するための手段】
【００１１】  上述の課題を解決するために本発明が用いた技術的手段は、適宜の合成樹脂素材からなり、所要の幅と厚さで且合成樹脂フィルム被覆材が展張される施設の頂部を長さ方向に所要の長さに誘引させて配位される幹部と、所要の幅と厚さで且該幹部の長さ方向に対して所定間隔で直交する方向に該幹部と一体的に接合され、而も展張される合成樹脂フィルム被覆材の両面端よりそれぞれ所要の長さの結縛部が延出される長さの枝部とにより固定係止基材が形成されている。【００１２】  そしてこの固定係止基材の幹部上面には、円筒長尺状で無通水時には扁平状に、且通水時には断面が略円形状に膨脹しえる変形自在な柔軟性素材からなり、而もその長さ方向の両側に適宜孔径で適宜数の散水孔が穿孔されてなる散水ホース材が一体的に接合若しくは塗着された構成によりなるものであって、本発明を合成樹脂フィルム被覆材が展張された施設の頂部を、一方から長さ方向他方に誘引配位させたる後、合成樹脂フィルム被覆材の両側端より延出垂下されてなる枝部に形成された結縛部を施設の適宜部位に結縛して、固定係止基材及び散水ホース材を施設の頂部に安定して固定配位させたうえ、散水ホース材の一側より揚水した地下水を通水せしめて、その散水孔より展張された合成樹脂フィルム被覆材の傾斜勾配に沿って散水滴下せしめて融雪や低温或いは高温障害の防止を図る防止具に存する。
【発明の効果】
【００１３】  本発明は上述の如き構成からなるもので、合成樹脂フィルム素材からなり所要の幅と厚さで且合成樹脂フィルム被覆材が展張された施設の頂部に所要の長さを以って誘引配位される幹部と、所要の幅と厚さで且幹部の長さ方向に所定の間隔を以って、而も該幹部と直交する方向に一体的に接合され、更に所要の幅と厚さで而も展張される合成樹脂フィルム被覆材の両側端よりそれぞれ所要の長さで延出される結縛部を有する枝部とからなる固定係止基材と、この固定係止基材の幹部の上面には、円筒長尺状で無通水時には扁平状に折合し且通水時には断面円形状に膨脹変形できる柔軟性素材からなり、而もその長さ方向の両側面には適宜の孔径で適宜数の散水孔が穿孔された散水ホース材が一体的に接合若しくは装着されてなるため、本発明固定係止基材の幹部の一側端に適宜の誘引紐等を連結し、施設の一側からその頂部を他側に誘引させることにより、固定係止基材及び散水ホース材が施設の頂部全体に亘って配位され、且所定間隔毎に幹部と直交して一体的に接合形成された枝部の結縛部が展張されてなる合成樹脂フィルム被覆材の両側端より垂下延出された状態となるから、該結縛部を施設の適宜骨材部位に地上作業をもって結縛させることにより、合成樹脂フィルム被覆材がアーチパイプ材や支柱と緊張状に展張固定保持されるとともに固定係止基材や散水ホース材も施設の頂部に沿って密着安定した配位がなしえる。【００１４】  そして幹部の上面には散水ホース材が接合若しくは装着されてなるから、該散水ホース材の一側より、地下水を揚水のうえ通水させることにより、該散水ホース材の散水孔より展張された合成樹脂フィルム被覆材の展張勾配に沿って散水滴下させることにより、降雪に際しては着雪と同時に融雪されて施設への荷重付加が回避され施設の保護はもとより合成樹脂フィルム被覆材の破損や裂損も防止される。
更には降霜時における着霜も直ちに融霜されて施設内の低温化が防止でき、而も高温期や強度の光線照射による施設内の高温化に際しても、散水に伴う直接的に降温作用並びに気化熱の剥奪作用とも相俟って施設内の降温効果が発揮され高温障害の防止も図られる。
【発明を実施するための最良の形態】
【００１５】  適宜の合成樹脂フィルム素材からなり、所要の幅と厚さで施設の頂部を長さ方向に適宜の長さで誘引配位させる幹部と、適宜の合成樹脂フィルム素材で所要の幅と厚さで幹部の長さ方向に所定間隔で且直交する方向に該幹部と一体的に接合され、而も展張される合成樹脂フィルム被覆材の両側端より所要の長さで結縛部が延出される枝部とによる固定係止基材と、該固定保持基材の幹部上面には通水可否により扁平状若しくは断面円形状に変形自在な柔軟性を有し、且その長さ方向の両側に適宜の孔径と適宜数の散水孔が穿孔された散水ホース材が一体的に接合若しくは装着されてなる構成。
【実施例１】
【００１６】  以下に本発明実施例を図とともに詳細に説明すれば、図１は本発明の固定保持基材１の部分説明図であって、該固定保持基材１は幹部１Ａと技部１Ｂとにより構成されるもので、幹部１Ａは適宜の合成樹脂フィルム素材からなり所要の幅と厚さで、且施設４の頂部４Ａの長さ方向に誘引配位しえるよう所要の長さで形成されるものである。
かかる場合において使用する合成樹脂フィルム素材の具体的なものとしては農業ハウスとして比較的短期間に亘る使用の場合にはポリエチレンやエチレン酢酸ビニル共重合素材等が加工性や価格的安価さから好都合であるがその使用が長期に亘る場合にはポリ塩化ビニルやポリアミド或いはポリエステル素材が望まれる。一方幹部１Ａの幅や厚さについては、その幅は展張される合成樹脂フィルム被覆材５の展張面積に伴う外部風圧や内部孕み風圧の変動にも十分対抗して安定した施設４との固定保持を図るうえから果樹用の大型施設４の場合ではその幅は略１０乃至２０ｃｍ程度のものが使用される。他方その厚さは本発明３を施設４の頂部４Ａをその長さ方向に全体に誘引配位させるための強力を保持させる必要があり、使用する合成樹脂フィルム素材の物性と且幅にもよるが、誘引配位に際しての破断強力は１００ｋｇ以上が要請されることからその厚さとしては略０．０８乃至０．２５ｍｍ程度のものが使用される。【００１７】  かくしてなる幹部１Ａには、その長さ方向に対して所定間隔を以って且適宜の合成樹脂フィルム素材からなり所要の幅と厚さで該幹部１Ａの長さ方向に対して所定の間隔を以って直交する方向に該幹部１Ａと一体的に接合１Ｃされ且展張される合成樹脂フィルム被覆材５の両側端５Ａ、５Ａよりそれぞれ所要の長さの結縛部１０Ｂ、１０Ｂが延出される長さの枝部１Ｂとにより、固定係止基材１が形成されている。
かかる場合の枝部１Ｂを形成する合成樹脂フィルム素材としては、幹部１Ａを形成する合成樹脂フィルム素材が用いられ、且その幅及び厚さも幹部１Ａと略同等の幅及び厚さで形成される。
そして該枝部１Ｂの間隔は展張される合成樹脂フィルム被覆材５の外部風圧や内部孕み風圧でも安定した展張固定係止を図るものであるから、該枝部１Ｂの幅によっても多少の変動はあるが該枝部１Ｂの幅が略１０乃至１２ｃｍ程度ではその間隔も略１．２乃至１．５ｍ程度に、更に枝部１Ｂの幅が１５乃至２０ｃｍでは略２．０乃至３／０ｍ程度が好適である。【００１８】  加えて幹部１Ａと枝部１Ｂとの接合１Ｃは特段の制約はなく使用する合成樹脂フィルム素材の特性も考慮して、高周波やインパルスシーラーにより若しくはホットメルト接着により或いはスチレンブタジェン共重合素材若しくはアクリル共重合素材からなる接着剤による接合手段が挙げられる。
更に枝部１Ｂの端縁に設けられる結縛部１０Ｂ、１０Ｂの長さは展張される合成樹脂フィルム被覆材５の両側端５Ａ，５Ａより略０．３乃至１．０ｍ程度で延出される長さで十分である。【００１９】  かかる如くして形成される固定係止基材１の幹部１Ａの上面には、散水ホース材２が一体的に接合若しくは装着されている。この散水ホース材２は図２に示すように、円筒長尺状でその内部に無通水時においては同図２のＡの如く扁平状に折合され、且その内部に通水された時には同図２のＢに示すように断面が略円形状に膨脹しえるよう変形自在な柔軟性を保持する素材からなるもので、具体的素材としてはポリ塩化ビニル樹脂、ポリ酢酸ビニル樹脂、エチレン酢酸ビニル共重合樹脂、ポリエチレン樹脂、ポリウレタン樹脂等が挙げられる。そしてかかる散水ホース材２の長さ方向の両側には、適宜孔径で適宜数の散水孔２Ａが穿孔されているもので、該散水孔２Ａの孔径及び穿孔数は、具体的に使用される施設４の合成樹脂フィルム被覆材５の展張面積と且降雪状態や低温若しくは高温状態によっても異なるが散水孔２Ａの孔径としては略０．１乃至１．０ｍｍ程度が更に穿孔数としては穿孔が０．１ｍｍの場合では散水ホース材２の１ｍ当り略４０００乃至５０００程度、散水孔２Ａの孔径が１．０ｍｍでは散水ホース材２の１ｍ当り８００至９００程度が望まれる。【００２０】  更にかかる散水ホース材２も固定係止基材１の誘引配位とともに、施設４の頂部４Ａに安定して配位させるうえから、該排水ホース材２は固定係止基材１の幹部１Ａの上面に一体的に接合若しくは装着されている。
即ち固定係止基材１の幹部１Ａ上面と散水ホース材２との接合若しくは装着の状態が図３に示されてなるもので、同図３のＡは固定係止基材１の幹部１Ａの上面中央部位の長さ方向に、散水ホース材２の折合された下側面の中央位置とが接合層２０により一体的に接合された状態が示されてなるもので、この接合層２０は散水ホース材２と幹部１Ａ上面とを実質的に接合させるものであって、具体的には高周波やインパルスシーラー等による融着やホットメルト融着若しくは接着剤或いは粘着材による接合等が挙げられる。しかしながらかかる接合層２０は幹部１Ａの上面と散水ホース材２の下面相互でなされ且該接合層２０もせいぜい５乃至２０ｍｍ程度の幅で形成されるものであって、通水時の膨脹変形により散水ホース材２の断面円形状化に伴い接合層２０の両側縁に剥離力が働く状態となるため、長期間の使用に際しての安定配位のうえからは問題を内在する。【００２１】  そこで図３のＢに示す如く散水ホース材２の下面と幹部１Ａの上面との間に接合層２０を形成するに際して、接合層２０の両側に連接して散水ホース材２の断面円形状への膨脹変形に伴う変形曲面に対応しえる形状の支持片２１を接合層２０の両面に幹部１Ａの長さ方向に配することが提案されるもので、かかる手段においては予め長尺状の支持片２１を幹部１Ａに高周波やインパルスシーラー或いは接着剤若しくは粘着剤で接合させるもので、この接着剤や粘着剤は前記接着剤若しくは粘着剤を使用すれば良い。【００２２】  更に散水ホース材２は融着や接着若しくは粘着に代えて装着させる手段も提案されるもので、該装着による手段は同図３のＣに示すように、適宜の合成樹脂フィルム素材を適宜の細幅に切断した細幅テープを用い、その内部に散水ホース材２を挿通しえるような内径を有する挿通リング２２が、所要の間隔を以って幹部１Ａ上面に融着固定２２Ａされ、該挿通リング２２内に散水ホース材２が所要の長さに挿通させた構成によるものである。【００２３】  図４は本発明３の施設４への誘引配位の説明図であって所要の高さと大きさに立設された施設４の外面に合成樹脂フィルム被覆材５を展張させたうえ、本発明３の一側端縁を適宜の誘引紐６と連結のうえ、施設４の一側よりその頂部４Ａを経由して他側に強力に誘引させることにより本発明３は施設４の頂部４Ａに配位され、且幹部１Ａの長さ方向に所定間隔を以って且直交する方向に接合形成させた枝部１Ｂが合成樹脂フィルム被覆材５の勾配に沿って垂下され、而もその端縁の結縛部１０Ｂ，１０Ｂ‥が展張された合成樹脂フィルム被覆材５の両側端より所要の長さを以って延出された状態に配位されることとなるから、従ってこの延出された結縛部１０Ｂ，１０Ｂ‥をそれぞれ施設４の適宜部位に結縛させることにより本発明３は施設４の頂部４Ａに安定配位され且固定係止もなされることとなる。【００２４】  図５は本発明３の使用態様図であって、本発明３を施設４の頂部４Ａに安定配位のうえ固定係止させたうえは、散水ホース材２の他端を適宜に閉塞させ且一方側を地下水の揚水ポンプ７の給水側と連絡するとともに、施設４内の適宜位置に設けた温度センサー７Ａで、降雪若しくは降霜に伴う高温変化若しくは温度上昇を感知して揚水ポンプ７を駆���揚水のうえ散水ホース材２内に通水せしめるものであって、より好ましくは温度センサー７Ａの温度感知レベルにより揚水並びに通水散水量を調整できるような配慮が望まれる。【００２５】  図６は散水状態の説明図であって、揚水ポンプ６により地下水が揚水され、散水ホース材２内を通水されることにより、施設４の頂部４Ａに安定配位されてなる散水ホース２の散水孔２Ａからは通水された略１０乃至１５℃の地下水が降雪に伴う着雪若しくは降霜に伴う着霜或いは高温化した滞留空気と接触する合成樹脂フィルム被覆材５の外面に散水されるとともにこの散水された地下水はその展張勾配にそって滴下流動する結果、着雪や着霜は直ちに融解流失され且合成樹脂フィルム被覆材５の内面高温空気も散水地下水により冷却降温がなされるばかりか、気化熱の剥奪作用により急速な降温と而も降温対流化も創出される。
【産業上の利用可能性】
【００２６】  軽量鉄パイプ材からなる支柱と且対合する支柱間をアーチパイプで跨渡連結してなる施設の外面に、合成樹脂フィルム被覆剤を展張させた農業用ハウスに誘引配位させて、地下水を揚水のうえ散水させるのみで融雪と低温障害が防止できる。
【図面の簡単な説明】
【００２７】
【図１】  固定係止基材の部分説明図である。
【図２】  散水ホース材の説明図である。
【図３】  本発明の例示図である。
【図４】  本発明の誘引配位を示す説明図である。
【図５】  本発明の使用態様図である。
【図６】  散水状態の説明図である。
【符号の説明】
【００２８】  １    固定係止基材
１Ａ  幹部
１Ｂ  枝部
１Ｃ  接合
１０Ｂ  結縛部
２    散水ホース材
２Ａ  散水孔
２０    接合層
２１    支持片
２２    挿通リング
２２Ａ  融着固定
３    本発明
４    施設
４Ａ  施設頂部
５    合成樹脂フィルム被覆材
６    誘引紐
７    揚水ポンプ
７Ａ  温度センサー
【図１】
2009207474.tif 000003
【図２】
2009207474.tif 000004
【図３】
2009207474.tif 000005
【図４】
2009207474.tif 000006
【図５】
2009207474.tif 000007
【図６】
2009207474.tif 000008